(57)【要約】      （修正有）【課題】容器の外周縁部に強化構造が形成される紙製容器を提供する。【解決手段】紙製容器本体を有し、紙製容器本体の周囲に設けられ、外側縁部及び内側部を有する複数の外側片と、外側片の外側縁部から延出し、外側部を有する折り曲げ可能な強化片と、各強化片と外側片との隣接箇所に設けられ、それぞれ中段部及び２つの端部を有する２つの強化折り代と、強化折り代の中段部に形成され、他の強化折り代の中段部と平行する直線部と、強化折り代の端部に形成され、他の強化折り代の端部と近接する斜線部と、強化折り代の端と他の強化折り代の端とが接する末端と、２つの強化折り代の間に設けられ、先端に向って細くなる細長片とを備える。さらに、強化片の外側部は、外側片の内側部に結合され、細長片と強化片との間に、細長片と接近するほど形成される空間が大きくなる緩衝空間を有する。【選択図】図１
0003166696.tif 000002
【実用新案登録請求の範囲】
【請求項１】
紙製容器本体を有し、該紙製容器本体の周囲に設けられると共に、外側縁部及び内側部を有する複数の外側片と、該外側片の外側縁部から延出すると共に、外側部を有する折り曲げ可能な強化片と、該各強化片と外側片との隣接箇所に設けられる、それぞれ中段部及び２つの端部を有する２つの強化折り代と、該強化折り代の中段部に形成される、他の強化折り代の中段部と平行する直線部と、該強化折り代の端部に形成される、他の強化折り代の端部と近接する斜線部と、該強化折り代の端と他の強化折り代の端とが接する末端と、該２つの強化折り代の間に設けられると共に、先端に向って細くなる細長片とを備え、
さらに、前記強化片の外側部は、前記外側片の内側部に結合され、前記細長片と強化片との間に、該細長片と接近するほど形成される空間が大きくなる緩衝空間を有することを特徴とする紙製容器。
【請求項２】
前記強化片の外側部に固定片が延設され、該固定片は、該強化片の外側部を外側片の内側部に結合させるように、紙製容器本体の外側面に粘着されることを特徴とする請求項１に記載の紙製容器。
【請求項３】
前記細長片は、強化片と外側片との間に位置し、
該強化片の両端近傍における、外側片と結合される箇所にそれぞれ折り代が形成され、該折り代の内端は、前記強化折り代における斜線部の末端と連結されることを特徴とする請求項２に記載の紙製容器。
【請求項４】
前記紙製容器本体は、前側部と、後側部と、左側部と、右側部とを備える紙皿であり、該前側部、後側部、左側部、右側部にそれぞれ外側片が設けられることを特徴とする請求項１乃至３の何れか１項に記載の紙製容器。
【請求項５】
前記紙製容器本体は、前側部と、左側部と、右側部とを備える紙皿であり、該前側部、左側部、右側部にそれぞれ外側片が設けられることを特徴とする請求項１乃至３の何れか１項に記載の紙製容器。
【考案の詳細な説明】
【技術分野】
【０００１】
本考案は、特に容器の外周縁部に強化構造が設けられる紙製容器に関するものである。
【背景技術】
【０００２】
既存の紙製容器は、例えば、紙皿や弁当箱などの、外周縁部に複数の外側片が延設される構成を有し、その外側片により容器内部における食べ物の収容空間を囲むものである。
【考案の概要】
【考案が解決しようとする課題】
【０００３】
しかしながら、既存の紙製容器は、外周縁部に収容空間を囲む外側片を有するが、該各外側片は単層構造であることから、支持力が不足しており、容器の内容物が重すぎると、容器周縁が曲がり変形してしまうという問題があった。
【課題を解決するための手段】
【０００４】
紙製容器本体を有し、該紙製容器本体の周囲に設けられると共に、外側縁部及び内側部を有する複数の外側片と、該外側片の外側縁部から延出すると共に、外側部を有する折り曲げ可能な強化片と、該各強化片と外側片の隣接箇所に設けられる、それぞれ中段部及び２つの端部を有する２つの強化折り代と、該強化折り代の中段部に形成される、他の強化折り代の中段部と平行する直線部と、該強化折り代の端部に形成される、他の強化折り代の端部と近接する斜線部と、該強化折り代の端と他の強化折り代の端とが接する末端と、該２つの強化折り代の間に設けられると共に、先端に向って細くなる細長片とを備え、
さらに、前記強化片の外側部は、前記外側片の内側部に結合され、前記細長片と強化片との間に、該細長片と接近するほど形成される空間が大きくなる緩衝空間を有する。
【０００５】
前記強化片の外側部に固定片が延設され、該固定片は、該強化片の外側部を外側片の内側部に結合させるように、紙製容器本体の外側面に粘着されることがある。
【０００６】
前記細長片は、強化片と外側片との間に位置し、
該強化片の両端近傍における、外側片と結合される箇所にそれぞれ折り代が形成され、該折り代の内端は、前記強化折り白における斜線部の末端と連結されるものである。
【０００７】
前記紙製容器本体は、前側部と、後側部と、左側部と、右側部とを有する紙皿であり、該前側部、後側部、左側部、右側部にそれぞれ外側片が設けられるものであってもよい。
【０００８】
また、前記紙製容器本体は、前側部と、左側部と、右側部とを有する紙皿であり、該前側部、左側部、右側部にそれぞれ外側片が設けられるものであってもよい。
【考案の効果】
【０００９】
本考案に係る紙製容器は上記の課題を解決するものであり、紙製容器の周囲から延出する外側片と強化片との間に緩衝空間が形成されるので、容器縁部を強固に支持することができる。
【図面の簡単な説明】
【００１０】
【図１】本発明に係る紙製容器の第一実施例の斜視図である。
【図２】本発明に係る紙製容器の第一実施例の展開図である。
【図３】本発明に係る紙製容器の第二実施例の斜面図である。
【図４】本発明に係る紙製容器の第三実施例の斜面図である。
【図５】本発明に係る紙製容器の第四実施例の斜面図である。
【図６】本発明に係る紙製容器の第五実施例の斜面図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１乃至図３に示すように、本考案に係る紙製容器における第一実施例は、前側部と、後側部と、左側部と、右側部とを備える矩形の紙製容器本体１０を有し、該紙製容器本体１０は、周囲の該前後側部及び左右側部にそれぞれ設けられると共に、外側縁部及び内側部を有する１対の外側片１１、１１Ａと、該外側片１１、１１Ａの形状と対応すると共に、該外側片１１、１１Ａの外側縁部から延出する、外側部を有する折り曲げ可能な強化片１２、１２Ａと、該各強化片１２、１２Ａと外側片１１、１１Ａとの隣接する箇所に設けられる、それぞれ中段部及び２つの端部を有する２つの強化折り代１３、１３Ａと、該強化折り代１３、１３Ａの中段部に形成される、他の強化折り代１３、１３Ａ中段部と平行する直線部１３１、１３１Ａと、該強化折り代１３、１３Ａの端部に形成される、他の強化折り代１３、１３Ａの端部と近接する斜線部１３２、１３２Ａと、該強化折り代１３、１３Ａの端と他の強化折り代１３、１３Ａの端とが接する末端と、該２つの強化折り代１３、１３Ａの間に設けられると共に、先端に向って細くなる細長片１４、１４Ａとを備えるものである。
【００１３】
さらに、前記紙製容器本体１０は、強化片１２、１２Ａの外側部に延設される固定片１５、１５Ａを備え、該固定片１５、１５Ａは、該強化片１２、１２Ａの外側部を外側片１１、１１Ａの内側部に結合させるように、紙製容器本体１０の外側面に粘着されることから、対応する外側片１１、１１Ａと、細長片１４、１４Ａと、強化片１２、１２Ａとの間に緩衝空間１６、１６Ａを形成させることができる。また、その緩衝空間１６、１６Ａは、細長片１４、１４Ａと接近するほど形成される空間が大きくなり、細長片１４、１４Ａの幅も広くなるので、容器縁部の支持力をより高めることができる。
【００１４】
前記第一実施例においては、左側部、右側部、前側部、後側部の細長片１４Ａがそれぞれ、強化片１２Ａと外側片１１Ａとの間に位置するが、該前側部及び後側部における、強化片１２Ａの両端近傍の外側片１１Ａと結合する箇所にそれぞれ折り代１７が形成され、該折り代１７の内端は、前記強化折り代１３の末端と連結される。
【００１５】
本考案の縁部強化構造は、前記矩形の紙製容器に応用される以外に、他の形状の容器、例えば、図３に示した第二実施例に係る、左側部及び右側部にそれぞれ孤形である紙製容器本体１０Ｂや、図４に示した第三実施例に係る、複数の間隔空間が形成される紙製容器本体１０Ｃにも応用することができる。
【００１６】
第二実施例及び第三実施例は、紙製容器本体１０Ｂ、１０Ｃの周囲の前側部及び後側部にそれぞれ設けられる外側片１１Ｂ、１１Ｃと、該外側片１１Ｂ、１１Ｃの形状と対応すると共に、該外側片１１Ｂ、１１Ｃの外側縁部から延出し、外側部を有する折り曲げ可能な強化片１２Ｂ、１２Ｃと、該各強化片１２Ｂ、１２Ｃと外側片１１Ｂ、１１Ｃとの隣接箇所に設けられる、中段部及び２つの端部を有する２つの強化折り代１３Ｂ、１３Ｃと、該強化折り代１３Ｂ、１３Ｃの中段部が、他の強化折り代１３Ｂ、１３Ｃの中段部と平行する直線部１３１Ｂ、１３１Ｃと、該強化折り代１３Ｂ、１３Ｃの端部が、他の強化折り代１３Ｂ、１３Ｃの端部と近接する斜線部１３２Ｂ、１３２Ｃと、該強化折り代１３Ｂ、１３Ｃの端が、他の強化折り代１３Ｂ、１３Ｃの端と接する末端と、該２つの強化折り代１３Ｂ、１３Ｃの間に設けられると共に、先端に向って細くなる細長片１４Ｂ、１４Ｃとを備えるものである。
【００１７】
さらに、前記紙製容器本体１０Ｂ、１０Ｃは、前記強化片１２Ｂ、１２Ｃの外側部に延設される固定片１５Ｂ、１５Ｃを備え、該固定片１５Ｂ、１５Ｃは、該強化片１２Ｂ、１２Ｃの外側部を外側片１１Ｂ、１１Ｃの内側部に結合させるように、紙製容器本体１０の外側面に粘着されることから、対応する外側片１１Ｂ、１１Ｃと、細長片１４Ｂ、１４Ｃと、強化片１２Ｂ，１２Ｃとの間に緩衝空間１６Ｂ、１６Ｃを形成させることができる。また、その緩衝空間１６Ｂ、１６Ｃは、細長片１４Ｂ、１４Ｃと接近するほど形成された空間が大きくなり、細長片１４Ｂ、１４Ｃの幅も広くなるので、容器縁部の支持力をより高めることができる。
【００１８】
本考案の縁部強化構造は、前記紙製容器本体１０Ｂ、紙製容器本体１０Ｃ以外に、他の容器にも応用でき、例えば、図５に示す第四実施例に係る紙製容器本体１０Ｄは、周囲に左側部と、右側部と、前側部とを備え、該左側部、右側部、前側部にそれぞれ設けられると共に、外側部を有する外側片１１Ｄと、該外側片１１Ｄの形状と対応すると共に、該外側片１１Ｄの外側縁部から延出し、内側部を有する折り曲げ可能な強化片１２Ｄと、該各強化片１２Ｄと外側片１１Ｄとの隣接箇所に設けられる中段部及び２つの端部を有する２つの強化折り代１３Ｄと、該強化折り代１３Ｄの中段部が、他の強化折り代１３Ｄの中段部と平行する直線部１３１Ｄと、該強化折り代１３Ｄの端部が、他の強化折り代１３Ｄの端部と近接する斜線部１３２Ｄと、該強化折り代１３Ｄの端が、他の強化折り代１３Ｄの端と接する末端と、該２つの強化折り代１３Ｄの間に設けられると共に、先端に向って細くなる細長片１４Ｄとを備えるものである。
【００１９】
さらに、前記紙製容器本体１０Ｄは、強化片１２Ｄの外側部に延設される固定片１５Ｄを備え、該固定片１５Ｄは、該強化片１２Ｄの外側部を外側片１１Ｄの内側部に結合させるように、紙製容器本体１０Ｄの外側面に粘着されることから、、対応する外側片１１Ｄと、細長片１４Ｄと、強化片１２Ｄとの間に緩衝空間１６Ｄを形成させることができる。また、その緩衝空間１６Ｄは、細長片１４Ｄと接近するほど形成された空間が大きくなり、細長片１４Ｄの幅も広くなるので、容器縁部の支持力をより高めることができる。
【００２０】
図６に示す第五実施例は、図５の紙製容器本体１０Ｄから蓋部を除いたものであり、紙製容器本体１０Ｄの周囲に前側部と、後側部と、左側部と、右側部とを備え、該前側部、後側部、左側部、右側部に外側片１１Ｄ、細長片１４Ｄと、強化片１２Ｄと、固定片１５Ｄを設けることにより、紙製容器本体１０Ｄの強化縁部を構成させたものである。
【産業上の利用可能性】
【００２１】
本考案に係る紙製容器は、紙製容器の周囲から延出する外側片と強化片との間に緩衝空間が形成されることから、容器縁部を支持力をより高めることができる。
【符号の説明】
【００２２】
１０          紙皿
１１          外側片
１２          強化片
１３          強化折り代
１３１        直線部
１３２        斜線部
１４          細長片
１５          固定片
１６          緩衝空間
１７          折り代
１１Ａ        外側片
１２Ａ        強化片
１３Ａ        強化折り代
１３１Ａ      直線部
１３２Ａ      斜線部
１４Ａ        細長片
１５Ａ        固定片
１６Ａ        緩衝空間
１０Ｂ        紙皿
１１Ｂ        外側片
１２Ｂ        強化片
１３Ｂ        強化折り代
１３１Ｂ      直線部
１３２Ｂ      斜線部
１４Ｂ        細長片
１５Ｂ        固定片
１６Ｂ        緩衝空間
１０Ｃ        紙皿
１１Ｃ        外側片
１２Ｃ        強化片
１３Ｃ        強化折り代
１３１Ｃ      直線部
１３２Ｃ      斜線部
１４Ｃ        細長片
１５Ｃ        固定片
１６Ｃ        緩衝空間
１０Ｄ        紙皿
１１Ｄ        外側片
１２Ｄ        強化片
１３Ｄ        強化折り代
１３１Ｄ      直線部
１３２Ｄ      斜線部
１４Ｄ        細長片
１５Ｄ        固定片
１６Ｄ        緩衝空間
【図１】
0003166696.tif 000003
【図２】
0003166696.tif 000004
【図３】
0003166696.tif 000005
【図４】
0003166696.tif 000006
【図５】
0003166696.tif 000007
【図６】
0003166696.tif 000008